(57)【要約】【課題】移動によって放送エリアが変化してもユーザが所望する番組を視聴できるデジタル放送受信システムを提供する。【解決手段】放送エリアを記憶した放送エリア記憶部１４と、系列局を記憶した系列局記憶部１５と、移動体情報を取得する移動体情報取得手段１１と、予約番組を記憶するデジタル放送受信機１２と、デジタル放送受信機での番組予約に応答して、予約番組の放送開始時刻に到達する地点を移動体情報に基づいて予想する到達地点予想部１３と、この予想された地点が属する放送エリアを放送エリア記憶部から取得し、該取得した放送エリアが、番組が予約された時点の放送エリアと異なる場合に、該取得した放送エリアに存在する予約番組を放送する放送局の系列局を系列局記憶部から取得し、デジタル放送受信機に記憶されている予約番組を、該系列局において予約番組と同一時刻に放送が開始される番組に変更する放送エリア判定部１６を備えている。【選択図】図１
2008294839.tif 000002
【特許請求の範囲】
【請求項１】
放送局からの放送が届く範囲を表す放送エリアを記憶した放送エリア記憶部と、
相互に系列関係にある放送局を系列局として記憶した系列局記憶部と、
地図を表す地図データおよび移動速度を表す速度データを含む移動体情報を取得する移動体情報取得手段と、
予約された番組を予約番組として記憶するデジタル放送受信機と、
前記デジタル放送受信機において番組が予約されたことに応答して、該デジタル放送受信機から取得した予約番組の放送開始時刻に到達する地点を、前記移動体情報取得手段からの移動体情報に基づいて予想する到達地点予想部と、
前記到達地点予想部で予想された地点が属する放送エリアを前記放送エリア記憶部から取得し、該取得した放送エリアが、番組が予約された時点の放送エリアと異なる場合に、該取得した放送エリアに存在する前記予約番組を放送する放送局の系列局を前記系列局記憶部から取得し、前記デジタル放送受信機に記憶されている予約番組を、該系列局において予約番組と同一時刻に放送が開始される番組に変更する放送エリア判定部
とを備えたデジタル放送受信システム。
【請求項２】
移動体情報取得手段は、現在地から目的地までの経路を探索するナビゲーションシステムから成り、
到達地点予想部は、デジタル放送受信機に予約番組が記憶されている状態で、前記ナビゲーションシステムにおいて新たな目的地が入力されたことに応答して、該デジタル放送受信機から取得した予約番組の放送開始時刻に到達する経路上の地点を、移動体情報取得手段からの移動体情報に基づいて予想する
ことを特徴とする請求項１記載のデジタル放送受信システム。
【請求項３】
移動体情報取得手段は、現在地から目的地までの経路を探索し、該探索された経路を使用した場合の目的地への到着時刻を予測するナビゲーションシステムから成り、
到達地点予想部は、デジタル放送受信機に予約番組が記憶されている状態で、前記ナビゲーションシステムにおいて予測された目的地への到着時刻が変化したことに応答して、該デジタル放送受信機から取得した予約番組の放送開始時刻に到達する経路上の地点を、移動体情報取得手段からの移動体情報に基づいて予想する
ことを特徴とする請求項１記載のデジタル放送受信システム。
【請求項４】
放送エリア判定部は、予約番組の放送開始時刻の所定時間前に、現在の地点が属する放送エリアを放送エリア記憶部から取得し、該取得した放送エリアが、番組が予約された時点の放送エリアと異なる場合に、該取得した放送エリアに存在する前記予約番組を放送する放送局の系列局を系列局記憶部から取得し、デジタル放送受信機に記憶されている予約番組を、該系列局において予約番組と同一時刻に放送が開始される番組に変更する
ことを特徴とする請求項１から請求項３のうちのいずれか１項記載のデジタル放送受信システム。
【請求項５】
放送エリア記憶部は、デジタル放送受信機の受信可否状態により、適宜更新されることを特徴とする請求項１から請求項４のうちのいずれか１項記載のデジタル放送受信システム。
【発明の詳細な説明】
【技術分野】
【０００１】
この発明は、移動体に適用されるデジタル放送受信システムに関し、特に番組を予約する技術に関する。
【背景技術】
【０００２】
近年、テレビジョン放送のデジタル化が急速に進んでおり、２００６年１２月現在、全ての都道府県の県庁所在地において、デジタルテレビジョン放送が開始された。このテレビジョン放送のデジタル化に伴い、車両または携帯電話といった移動体にデジタル放送受信機を搭載した製品が開発されており、ユーザは移動中であっても、テレビジョン放送を楽しんだり、有用な情報を入手したりすることが可能になっている。
【０００３】
このような移動体、特に車両に搭載されたデジタル放送受信機においては、番組を予約した地点と、予約した番組の放送が開始される時に到達している地点とが別の放送エリアに存在する場合、予約した番組を受信できないという問題が生じる。
【０００４】
このような問題を解消するために、特許文献１は、移動終了までに放送内容の受信が完了しないといった事態を回避できる移動体用放送受信装置を開示している。この特許文献１に開示された技術では、デジタル放送受信機は、ナビゲーションシステムに接続され、移動体の予定移動時間としてナビゲーションシステムによって推定された推定到着時刻を取得し、予約番組の放送終了時刻とを比較して予約番組の視聴が完了可能か否かを判定し、不可能な場合は、別の時間帯に放送される代替放送番組を予約する。
【０００５】
【特許文献１】特開２００１−１６８７４３号公報
【発明の開示】
【発明が解決しようとする課題】
【０００６】
上述した特許文献１に開示された技術では、予約番組の視聴を完了できないときは他の時間帯に放送される代替放送番組を予約するので、代替放送番組の放送開始時刻に、番組を予約したユーザが車両に乗車していない場合もある。したがって、予約した番組を車両に乗車中に視聴したいというユーザの要請に応えることができないという問題がある。
【０００７】
この発明は、上述した問題を解消するためになされたものであり、その課題は、移動によって放送エリアが変化してもユーザが所望する番組を視聴できるデジタル放送受信システムを提供することにある。
【課題を解決するための手段】
【０００８】
この発明に係るデジタル放送受信システムは、上記課題を解決するために、放送局からの放送が届く範囲を表す放送エリアを記憶した放送エリア記憶部と、相互に系列関係にある放送局を系列局として記憶した系列局記憶部と、地図を表す地図データおよび移動速度を表す速度データを含む移動体情報を取得する移動体情報取得手段と、予約された番組を予約番組として記憶するデジタル放送受信機と、デジタル放送受信機において番組が予約されたことに応答して、該デジタル放送受信機から取得した予約番組の放送開始時刻に到達する地点を、移動体情報取得手段からの移動体情報に基づいて予想する到達地点予想部と、到達地点予想部で予想された地点が属する放送エリアを放送エリア記憶部から取得し、該取得した放送エリアが、番組が予約された時点の放送エリアと異なる場合に、該取得した放送エリアに存在する予約番組を放送する放送局の系列局を系列局記憶部から取得し、デジタル放送受信機に記憶されている予約番組を、該系列局において予約番組と同一時刻に放送が開始される番組に変更する放送エリア判定部とを備えている。
【発明の効果】
【０００９】
この発明に係るデジタル放送受信システムによれば、予約番組の放送開始時刻に到達する地点が属する放送エリアが、番組が予約された時点の放送エリアと異なる場合に、予約番組の放送開始時刻に到達する地点が属する放送エリアに存在する系列局において予約番組と同一時刻に放送が開始される番組を新たな予約番組とするように構成したので、多くの場合は系列局では同一番組を同一時間帯に放送されるという特性から、移動によって放送エリアが変化してもユーザが所望する番組を視聴できる。その結果、越境走行時において予約番組を受信できなくなるという事態の発生を低減させることができる。
【発明を実施するための最良の形態】
【００１０】
以下、この発明の実施の形態を、図面を参照しながら詳細に説明する。
実施の形態１．
図１は、この発明の実施の形態１に係るデジタル放送受信システムの構成を示すブロック図である。このデジタル放送受信システムは、ナビゲーションシステム１１、デジタル放送受信機１２、到達地点予想部１３、放送エリア記憶部１４、系列局記憶部１５および放送エリア判定部１６を備えている。
【００１１】
ナビゲーションシステム１１は、現在地から、ユーザによって入力された目的地までの経路を探索し、探索された経路に沿ってユーザを案内するとともに、探索された経路を使用した場合の目的地への到着時刻を予測する。このナビゲーションシステム１１の構成および機能などは周知であるので詳細な説明は省略するが、実施の形態１に係るデジタル放送受信システムにおけるナビゲーションシステム１１は、その内部に保持している、地図を表す地図データおよび移動速度を表す車速データを含む移動体情報を到達地点予想部１３に送る。また、ナビゲーションシステム１１は、予測した目的地への到着時刻を到達地点予想部１３に送る。
【００１２】
デジタル放送受信機１２は、デジタル放送を受信してユーザに映像および音声等を提供する。このデジタル放送受信機１２の構成および機能などは、周知であるので詳細な説明は省略するが、実施の形態１に係るデジタル放送受信機１２は、ユーザが予約した番組を表す予約番組の放送開始時刻を到達地点予想部１３および放送エリア判定部１６に送るとともに、予約番組を放送する放送局を表す情報を放送エリア判定部１６に送る。
【００１３】
到達地点予想部１３は、デジタル放送受信機１２から送られてくる予約番組の放送開始時刻に自車が到達する地点を、ナビゲーションシステム１１から移動体情報として送られてくる地図データおよび車速データとを用いて予想し、予約番組の放送開始時刻における到達予想地点として放送エリア判定部１６に送る。
【００１４】
放送エリア記憶部１４は、複数の放送局の放送エリアを記憶している。放送エリアは、放送局からの放送が届く範囲をいう。この放送エリア記憶部１４に記憶されている放送エリアは、放送エリア判定部１６によって読み出される。
【００１５】
系列局記憶部１５は、相互に系列関係にある放送局を系列局として記憶している。この系列局記憶部１５に記憶されている系列局は、放送エリア判定部１６によって読み出される。
【００１６】
放送エリア判定部１６は、到達地点予想部１３から送られてくる到達予想地点が属する放送エリアを放送エリア記憶部１４から読み出し、この読み出した放送エリアが、番組が予約された時点の放送エリアと異なるかどうかを調べる。そして、異なることを判定した場合に、放送エリア記憶部１４から読み出した放送エリアに存在する放送局の中から、予約番組を放送する放送局の系列局を系列局記憶部１５から読み出し、デジタル放送受信機１２に記憶されている予約番組を、系列局記憶部１５から読み出した系列局において予約番組と同一時刻に放送が開始される番組に変更する。
【００１７】
次に、上記のように構成される、この発明の実施の形態１に係るデジタル放送受信システムの動作を、予約番組変更処理を中心に、図２に示すフローチャートを参照しながら説明する。
【００１８】
この予約番組変更処理は、目的地が設定されている状態で、デジタル放送受信機１２において番組が予約されたことに応答して開始される他、デジタル放送受信機１２に予約番組が記憶されている状態でナビゲーションシステム１１において新たな目的地が入力された場合、または、デジタル放送受信機１２に予約番組が記憶されている状態でナビゲーションシステム１１において予測された目的地への到着時刻が変化した場合といった車両の走行状況が変化したことに応答して開始される。
【００１９】
予約番組変更処理では、まず、予約番組に付された番号ｎ（以下、「予約番組ｎ」という）が「１」に初期化される（ステップＳＴ１１）。次いで、予約番組ｎが存在するかどうかが調べられる（ステップＳＴ１２）。このステップＳＴ１２において、予約番組ｎが存在しないことが判断されると、予約番組変更処理は終了する。
【００２０】
一方、ステップＳＴ１２において、予約番組ｎが存在することが判断されると、次いで、目的地は設定されているかどうかが調べられる（ステップＳＴ１３）。すなわち、ナビゲーションシステム１１において、目的地が設定されて経路探索が行われているかどうか、つまり現在地から目的地までの経路が得られているかどうかが調べられる。
【００２１】
このステップＳＴ１３において、目的地が存在することが判断されると、次いで、予約番組ｎの放送エリアが変化したかどうかが調べられる（ステップＳＴ１４）。すなわち、予約番組ｎの放送開始時刻における到達予想地点が属する放送エリアが、番組が予約された時点の放送エリアと異なるかどうかが調べられる。具体的には、到達地点予想部１３は、デジタル放送受信機１２から送られてくる予約番組の放送開始時刻に到達する経路上の地点を、ナビゲーションシステム１１から移動体情報として送られてくる地図データおよび車速データとを用いて予想し、到達予想地点として放送エリア判定部１６に送る。放送エリア判定部１６は、到達地点予想部１３から送られてくる到達予想地点が属する放送エリアを放送エリア記憶部１４から読み出し、この読み出した放送エリアが、番組が予約された時点の放送エリアと異なるかどうかを調べる。
【００２２】
ステップＳＴ１４において、予約番組ｎの放送エリアが変化したことが判断されると、次いで、予約番組ｎの放送局が系列局に変更される（ステップＳＴ１５）。具体的には、放送エリア判定部１６は、放送エリア記憶部１４から読み出した放送エリアに存在する放送局の中から、予約番組を放送する放送局の系列局を系列局記憶部１５から読み出す。そして、デジタル放送受信機１２に記憶されている予約番組を、系列局記憶部１５から読み出した系列局で予約番組と同一時刻に放送が開始される番組に変更する。
【００２３】
一方、ステップＳＴ１４において、予約番組ｎの放送エリアが変化していないことが判断されると、ステップＳＴ１５の処理はスキップされる。次いで、予約番組ｎがインクリメント（＋１）される（ステップＳＴ１６）。その後、シーケンスはステップＳＴ１２に戻り、上述した処理が繰り返される。
【００２４】
上記ステップＳＴ１３において、目的地が存在しないことが判断されると、現在地から目的地までの経路が得られておらず、到達予想地点の算出が不可能である旨が認識され、シーケンスはステップＳＴ１７に進む。ステップＳＴ１７においては、予約番組の放送開始時刻の所定時間前であるかどうかが調べられる（ステップＳＴ１７）。すなわち、放送エリア判定部１６は、デジタル放送受信機１２から送られてくる予約番組の放送開始時刻の所定時間前であるかどうかを調べる。
【００２５】
このステップＳＴ１７において、予約番組の放送開始時刻の所定時間前でないことが判断されると、このステップＳＴ１７を繰り返し実行しながら待機状態に入る。このステップＳＴ１７の繰り返し実行による待機状態において、予約番組の放送開始時刻の所定時間前になったことが判断されると、次いで、現在地は予約番組ｎの放送エリア内であるかどうかが調べられる（ステップＳＴ１８）。すなわち、放送エリア判定部１６は、現在の地点が属する放送エリアを放送エリア記憶部から取得し、該取得した放送エリアが、番組が予約された時点の放送エリアと異なるかどうかを調べる。
【００２６】
このステップＳＴ１８において、現在地は予約番組ｎの放送エリア内であることが判断されると、次いで、予約番組ｎの放送局が系列局に変更される（ステップＳＴ１９）。このステップＳＴ１９の処理は、上述したステップＳＴ１５の処理と同じである。その後、予約番組変更処理は終了する。上記ステップＳＴ１８において、現在地は予約番組ｎの放送エリア内でないことが判断された場合は、予約番組変更処理は終了する。
【００２７】
次に、上述した構成を有するデジタル放送受信システムにおいて行われる予約番組変更処理によって実現される機能を、図３に示す具体例を参照しながら説明する。
【００２８】
今、放送エリア１内における現在地点Ａにおいて、ユーザが、放送局αにおいて任意の時刻（例えば１４：００）から開始される番組を予約した後に、目的地Ｂへ向けて移動を開始したとする。仮に、予約番組の放送開始時刻における到達予想地点Ｃが、放送エリア１内の地点であれば、ユーザの予約した番組を受信可能である。
【００２９】
しかしながら、図３に示すように、予約番組の放送開始時刻における到達予想地点Ｃが、放送エリア１から離れた放送エリア２内の地点である場合、ユーザが予約した番組は受信不可能である。このように、従来のデジタル放送受信機においては、放送エリアの間を越境して移動した場合、予約した番組を受信できないという問題が生じる。
【００３０】
これに対し、この発明の実施の形態１に係るデジタル放送受信システムによれば、番組を予約した地点と、予約番組の放送開始時刻における到達予想地点とが、異なる放送エリアであれば、移動先の放送エリア（放送エリア２）に存在する放送局αの系列局βにおいて同一時刻に放送が開始される番組に予約が変更される。これにより、上述した従来のデジタル放送受信機における問題が解消される。
【００３１】
以上説明したように、この発明の実施の形態１に係るデジタル放送受信システムによれば、予約番組の放送開始時刻に到達する経路上の地点が属する放送エリアが、番組が予約された時点の放送エリアと異なる場合に、予約番組の放送開始時刻に到達する地点が属する放送エリアに存在する系列局において予約番組と同一時刻に放送が開始される番組を新たな予約番組とするように構成したので、多くの場合は系列局では同一番組を同一時間帯に放送されるという特性から、移動によって放送エリアが変化してもユーザが所望する番組を視聴できる。その結果、越境走行時において予約番組を受信できなくなるという事態の発生を低減させることができる。
【００３２】
また、目的地が存在しない、つまり現在地から目的地までの経路が得られていない場合は、予約番組の放送開始時刻の所定時間前に、現在の地点が属する放送エリアが、番組が予約された時点の放送エリアと異なることが判断されると、デジタル放送受信機１２に記憶されている予約番組を、系列局において予約番組と同一時刻に放送が開始される番組に変更するように構成したので、現在地から目的地までの経路が得られていない場合であっても、ユーザが所望する番組を視聴できる。
【００３３】
実施の形態２．
図４は、この発明の実施の形態２に係るデジタル放送受信システムの構成を示すブロック図である。このデジタル放送受信システムは、実施の形態１と同様に、ナビゲーションシステム１１、デジタル放送受信機１２、到達地点予想部１３、放送エリア記憶部１４、系列局記憶部１５および放送エリア判定部１６を備えている。
【００３４】
実施の形態２では、放送エリア記憶部の情報を、デジタル放送受信機の受信可否状態によって、適宜更新されることに特徴がある。その他の構成、動作に関しては実施の形態１と同様である。
【００３５】
上記の特徴を有することで、放送エリア記憶部内の情報を、最新の状態に保つことができるため、放送エリア判定の精度をあげることができ、越境走行時において予約番組を受信できなくなるという事態の発生を、更に低減させることができる。
【００３６】
なお、上述した実施の形態１および２に係るデジタル放送受信システムにおいては、予約番組の放送エリアが変化したことが判断された場合に、その予約番組の放送局を系列局に自動的に変更するように構成したが、予約番組の放送エリアが変化した旨をユーザに報知するように構成することができる。この場合、ユーザは、マニュアル操作によって、予約番組の放送局を系列局に変更する。
【００３７】
また、上述した実施の形態１および２に係るデジタル放送受信システムにおいては、到達地点予想部１３、放送エリア記憶部１４、系列局記憶部１５および放送エリア判定部１６は、ナビゲーションシステム１１およびデジタル放送受信機１２の外部に設けるように構成したが、これらの構成要素はナビゲーションシステム１１またはデジタル放送受信機１２の内部に組み込むように構成することもできる。
【００３８】
さらに、上述した実施の形態１および２に係るデジタル放送受信システムにおいては、移動体情報の取得先としてナビゲーションシステム１１を用いたが、移動体情報の取得先はナビゲーションシステム１１に限らず、例えば携帯電話、ＰＤＡ（Ｐｅｒｓｏｎａｌ  Ｄｉｇｉｔａｌ  Ａｓｓｉｓｔａｎｔ）、パーソナルコンピュータなどといった地図データを備え、移動速度を出力できる携帯端末を用いることもできる。
【図面の簡単な説明】
【００３９】
【図１】この発明の実施の形態１に係るデジタル放送受信システムの構成を示すブロック図である。
【図２】この発明の実施の形態１に係るデジタル放送受信システムの動作を説明するためのフローチャートである。
【図３】この発明の実施の形態１に係るデジタル放送受信システムの具体的な動作を従来のデジタル放送受信機の動作と比較して説明するための図である。
【図４】この発明の実施の形態２に係るデジタル放送受信システムの構成を示すブロック図である。
【符号の説明】
【００４０】
１１  ナビゲーションシステム、１２  デジタル放送受信機、１３  到達地点予想部、１４  放送エリア記憶部、１５  系列局記憶部、１６  放送エリア判定部。
【図１】
2008294839.tif 000003
【図２】
2008294839.tif 000004
【図３】
2008294839.tif 000005
【図４】
2008294839.tif 000006